(57)【要約】【課題】  この発明は、洗滌機から配送されて来る被脱水物を連続的に受入れて、高速脱水すると共に、自動的に脱水済みのものを、連続して自動的に回収する脱水機を提供すること、を目的としている。【解決手段】  基台上に配設された受水槽の上端周部に回収ガイドが配設され、受水槽内に旋回自在に脱水籠が配設され、該脱水籠はテーパ状に上部を大径とした周壁上端部にフランジが形成され、該フランジが脱水籠の上端部に所定の間隔を開けて被覆状に設定され、脱水籠の中には、下端部が底に近接するようにホッパが非接触で配設され、ホッパから投入された被脱水物が脱水籠の回転遠心力で脱水され、かつ内壁周面を遠心力で上昇して、回収ガイドにより回収されるように構成された脱水機。【選択図】    図１
2009165991.tif 000002
【特許請求の範囲】
【請求項１】
基台上に配設された受水槽の上端周部に回収ガイドが配設され、受水槽内に旋回自在に脱水籠が配設され、該脱水籠はテーパ状に上部を大径とした周壁上端部にフランジが形成され、該フランジが脱水籠の上端部に所定の間隔を開けて被覆状に設定され、脱水籠の中には、下端部が底に近接するようにホッパが非接触で配設され、ホッパから投入された被脱水物が、脱水籠の回転遠心力で脱水され、かつ内壁面を遠心力で上昇して、回収ガイドにより回収されるように構成されたことを特徴とする脱水機。
【請求項２】
前記脱水籠は、受水槽の底を貫通して配設された回転軸の上部に支持され、該回転軸は伝動機構を介して原動機に連結され、脱水籠の回転速度は変速可能に構成されていること、を特徴とする請求項１に記載された脱水機。
【請求項３】
前記脱水籠の回転速度の変速は、原動機のインバータ制御によるものであること、を特徴とする請求項２に記載された脱水機。
【請求項４】
前記脱水籠の回転速度の変速は、回転軸と原動機の間に介在する伝動機構に配設された変速手段によるものであること、を特徴とする請求項２に記載された脱水機。
【請求項５】
前記脱水籠は、形態の異なった脱水籠を、回転軸に対して、取替え可能に構成されたこと、を特徴とする請求項１〜４のいずれかに記載された脱水機。
【発明の詳細な説明】
【技術分野】
【０００１】
本発明は脱水機に係り、特に、水洗した大豆など穀類の水分を連続的に除去し、脱水物を、自動的に連続して回収することのできる脱水機に関する。
【背景技術】
【０００２】
従来、脱水機は、回転籠の中に被脱水物を収容し、回転させて遠心力で水分を飛ばして脱水しており、回転籠の中の被脱水物は、回転籠の上からとりだしている。
振動脱水機としては特許文献１のような振動篩で脱水し、被脱水物は振動で次の工程部へ送りだしている。
【特許文献１】特開平１０−５７７２６号公報
【発明の開示】
【発明が解決しようとする課題】
【０００３】
前記従来の遠心式脱水機では、脱水後に被脱水物を回転籠の上から取り出すという手間がかかり、連続的な脱水が困難であった。また振動脱水機では、十分な脱水が困難であるという難点があった。
この発明は、洗滌機から配送されて来る被脱水物を連続的に受入れて、高速脱水するとともに、自動的に脱水済みのものを、連続して自動的に回収する脱水機を提供すること、を目的としている。
【課題を解決するための手段】
【０００４】
この発明の具体的な内容は次の通りである。
【０００５】
(1)  基台上に配設された受水槽の上端周部に回収ガイドが配設され、受水槽内に旋回自在に脱水籠が配設され、該脱水籠はテーパ状に上部を大径とした周壁上端部にフランジが形成され、該フランジが脱水槽の上端部に所定の間隔を開けて被覆状に設定され、脱水籠の中には、下端部が底に所定間隔を開けて近接するように、ホッパが非接触で配設され、ホッパから投入された被脱水物が、脱水籠の回転遠心力で脱水され、かつ内壁面に沿って遠心力で上昇して、回収ガイドにより回収されるように構成された、脱水機。
【０００６】
(2)   前記脱水籠は、受水槽の底を貫通して配設された回転軸の上部に支持され、該回転軸は伝動機構を介して原動機に連結され、脱水籠の回転速度は変速可能に構成されている、前記(1)に記載された脱水機。
【０００７】
(3)  前記脱水籠の回転速度の変速は、原動機のインバータ制御によるものである、前記(2)に記載された脱水機。
【０００８】
(4)  前記脱水籠の回転速度の変速は、回転軸と原動機の間に介在する伝動機構に配設された変速手段によるものである、前記(2)に記載された脱水機。
【０００９】
(5)  前記脱水籠は、形態の異なった脱水籠を、回転軸に対して、取替え可能に構成された、前記(1)〜(4)のいずれかに記載された脱水機。
【発明の効果】
【００１０】
本発明によると次のような効果がある。
【００１１】
前記（１）に記載された発明の脱水機は、ホッパから脱水籠に投入された被脱水物は、回転する脱水籠によって遠心力で脱水され、かつ遠心力によって、傾斜した脱水籠の内壁周面に沿って、次第に上方へと移動して、脱水籠の上端部に達して、外方へ弾き飛ばされ、回収ガイドによって連続的に回収される。
これによって脱水と回収が自動的におこなわれる。
【００１２】
前記（２）に記載された発明の脱水機は、脱水籠の回転速度を調節することによって、脱水度や回収速度を調節することができるので、被脱水物の変化に即時対応することができる。
【００１３】
前記（３）に記載された発明の脱水機は、原動機のインバータ制御により回転速度を円滑に制御することができる。
【００１４】
前記（４）に記載された発明の脱水機は、伝動機構に変速手段を配設するので、原動機が同じでも、回転速度を即時切り替えができる。
【００１５】
前記（５）に記載された発明の脱水機は、被脱水物に合う脱水籠を選択して、取り替えで脱水することができる。
【発明を実施するための最良の形態】
【００１６】
脱水籠の上部を大径とし、上端部にフランジを形成して、受水槽の上端部にフランジを被覆状に配設する。
【実施例１】
【００１７】
この発明の実施例を図面を参照して説明する。図１は本発明に係る脱水機の正面図である。図において脱水機１は、基台２の上に受水槽３が配設されている。図中符号３ａは排水口である。該受水槽３の上端周部には、回収ガイド４が固定されている。
【００１８】
該回収ガイド４の上端部は、受水槽３の上端面より高い位置に設定され、周下部は片方へ傾斜して、下端部に吐出口４ａが形成されている。
受水槽３の内底部には軸受５が固定され、該軸受５には回転軸６が回転自在に配設され、回転軸６の下部は、任意の伝動機構７ａを介して原動機７と連結されている。
【００１９】
前記回転軸６の上部には、脱水籠８の底部が固定され、回転軸６の回転により高速旋回する。脱水籠８の形態、素材などは任意である。
前記脱水籠８の上端部には、フランジ８ａが形成されており、該フランジ８ａ部分は、前記受水槽３の上端を、所定間隔を開けて被覆するように設定されている。
【００２０】
前記脱水籠８の中には、底部を脱水籠８の底に所定間隔をあけて近接させて、ホッパ９が配設され、該ホッパ９の上部は、前記回収ガイド４の上端面よりも高い位置に設定されている。  
以上の構成において、図示しない洗滌機において例えば大豆を洗滌して、振動篩などで脱水したものがホッパ９へ自動的に投入される。
【００２１】
原動機７の稼働により脱水籠８を回転させ、ホッパ９に図示しない洗滌機から被脱水物を投入させると、降下した被脱水物は、脱水籠８の底に至り、脱水籠８の回転遠心力によって脱水籠８の内壁面に突当り、脱水されながら、遠心力により内壁周面の斜面を上方へ移動して、脱水籠８の上端部へ上昇しきったとき、外方へ弾かれて、回収ガイド４に当り、降下して吐出口４ａから回収される。
【００２２】
ホッパ９には、あらかじめ被脱水物を入れておいてから、脱水籠８を回転させてもよい。脱水籠８の底の被脱水物が、遠心力で内壁面に沿って被脱水物が上方へ移動すると、ホッパ９の中の被脱水物は自然に降下する。
これによって、自動的に脱水と、回収を連続的にすることができる。
【００２３】
前記脱水籠８の壁面の傾斜は、緩やかなら、被脱水物の上昇が早くなるので、脱水率は低下する。従って脱水籠８の壁面の傾斜は急にしておき、回転速度を上げる方が脱水効率は高い。
脱水籠８の回転速度の調節手段として、例えば原動機７はインバータ制御により変速可能に構成することができる。また伝動機構には、変速手段を配設することができる。
【００２４】
この発明は、前記実施例に限定されるものではなく、目的に沿って、適宜設計変更をすることができる。自動洗滌機と振動式簡易脱水装置の後に本脱水機を組合わせて、自動化することができる。
また、脱水籠８は、目の粗さや壁面の傾斜などの異なったものを、回転軸６に対して着脱可能に構成し、目的に合わせて任意に取替え可能に構成することができる。その場合、ホッパ９も取付高さを調節可能に構成することができる。
【産業上の利用可能性】
【００２５】
この脱水機は、粒体物の洗滌後の脱水に適しており、特に雑穀類の脱水に適している。
【図面の簡単な説明】
【００２６】
【図１】本発明に係る脱水機の正面図である。
【符号の説明】
【００２７】
１． 脱水機
２．基台
３．受水槽
３ａ．排水口
４．回収ガイド
４ａ．吐出口
５．軸受
６．回転軸
７．原動機
７ａ．伝動機構
８．脱水籠
９．フランジ
【図１】
2009165991.tif 000003